(57)【要約】【課題】通信信号における電力制御を改善し、通信送信用の入力信号に対して訂正表の適当且つ定期的な校正を可能にする方法及び装置の提供。【解決手段】通信における電力信号始動用の方法において、まず、工程２１０において、複数のペイロードデータが送信用に特定される。次に、工程２２０において、基準電力信号がペイロードデータに先立って送信用に決定される。次に、工程２３０において、基準電力信号及びペイロードデータはデータバーストを形成するよう組み合わされる。工程２４０において、データバーストは送信され、基準電力信号がデータバースト内のペイロードデータに先立って送信される。工程２５０において、送信されたデータバーストの基準電力信号部に基づいて帰還信号が与えられ、工程２６０において、この帰還信号に基づいて予歪み信号が校正される。【選択図】図２
2007259440.tif 000002
【特許請求の範囲】
【請求項１】
送信される複数のペイロードデータを特定する工程と、
該ペイロードデータに先立って送信される基準電力信号を決定する工程と、
データバーストを形成するように少なくとも前記基準電力信号及び前記ペイロードデータを組み合わせる工程と、
前記データバースト内の前記ペイロードデータに先立って前記基準電力信号を送信し、次に無線周波数送信として前記データバーストを送信する工程と、
送信された前記データバーストの前記基準電力信号部に基づいて帰還信号を提供する工程と、
該帰還信号に基づいて予歪み信号を校正する工程と
を具備することを特徴とする通信データバーストの発生方法。
【請求項２】
前記校正工程は、送信された各データバースト用に実行されることを特徴とする請求項１記載の発生方法。
【請求項３】
前記基準電力信号は１個以上のデジタル信号サンプルを具備することを特徴とする請求項１記載の発生方法。
【請求項４】
前記基準電力信号は１個以上の変調符号を具備することを特徴とする請求項１記載の発生方法。
【請求項５】
前記基準電力信号の前記変調符号は、同じ大きさを有する２個以上の続く符号を具備することを特徴とする請求項４記載の発生方法。
【請求項６】
前記基準電力信号の前記変調符号は、大きさが順次増大する２個以上の続く符号を具備することを特徴とする請求項４記載の発生方法。
【請求項７】
前記基準電力信号の前記変調符号は回転しないことを特徴とする請求項４記載の発生方法。
【請求項８】
無線通信デバイス及びネットワーク間のＥＤＧＥチャンネルに無線周波数送信するための増強されたＥＤＧＥデータバーストを発生する方法であって、
送信される複数の８ＰＳＫ変調符号を有する複数のペイロードデータを特定する工程と、
該ペイロードデータに先立って送信される基準電力信号を決定する工程と、
増強されたＥＤＧＥデータバーストを形成するように少なくとも前記基準電力信号及び前記ペイロードデータを組み合わせる工程と、
前記データバースト内の前記ペイロードデータに先立って前記基準電力信号を送信し、次に無線周波数送信として前記増強されたＥＤＧＥデータバーストを送信する工程と、
送信された前記増強されたＥＤＧＥデータバーストの前記基準電力信号部に基づいて帰還信号を提供する工程と、
該帰還信号に基づいて予歪み信号を校正する工程と
を具備することを特徴とする増強されたＥＤＧＥデータバーストの発生方法。
【請求項９】
前記校正工程は、送信された前記増強されたＥＤＧＥデータバーストの各々用に実行されることを特徴とする請求項８記載の発生方法。
【請求項１０】
前記基準電力信号は１個以上のデジタル信号サンプルを具備することを特徴とする請求項８記載の発生方法。
【請求項１１】
前記基準電力信号は１個以上の８ＰＳＫ変調符号を具備することを特徴とする請求項８記載の発生方法。
【請求項１２】
前記基準電力信号の前記変調符号は回転しないことを特徴とする請求項１１記載の発生方法。
【請求項１３】
命令がプログラムされると共に送信される複数のペイロードデータを受信するよう構成され、前記ペイロードデータに先立って送信される基準電力信号を決定し、データバーストを形成するよう少なくとも前記基準電力信号及び前記ペイロードデータを組み合わせる信号処理器と、
該信号処理器に接続されていると共に前記データバーストを増幅するよう構成された増幅器と、
該増幅器に接続されていると共に増幅された前記データバーストを送信するよう構成されたアンテナであって、前記基準電力信号は、前記増幅されたデータバースト内の前記ペイロードデータに先立って送信されるアンテナと、
前記増幅器及び前記信号処理器に接続されており、前記増幅されたデータバーストの前記基準電力信号部に基づいて帰還信号を提供するよう構成された帰還ループと、
送信に先立って次のデータバーストを予め歪ませるよう構成され、前記帰還信号に基づいて校正するよう構成された予歪みフィルタと
を具備することを特徴とする通信データバーストの発生装置。
【請求項１４】
前記基準電力信号は１個以上のデジタル信号サンプルを具備することを特徴とする請求項１３記載の発生装置。
【請求項１５】
前記基準電力信号は１個以上の変調符号を具備することを特徴とする請求項１３記載の発生装置。
【請求項１６】
前記基準電力信号の前記変調符号は、同じ大きさを有する２個以上の続く符号を具備することを特徴とする請求項１５記載の発生装置。
【請求項１７】
前記基準電力信号の前記変調符号は、大きさが順次増大する２個以上の続く符号を具備することを特徴とする請求項１５記載の発生装置。
【請求項１８】
前記基準電力信号の前記変調符号は回転しないことを特徴とする請求項１５記載の発生装置。
【請求項１９】
前記発生装置は、前記信号処理器及び前記送信器に接続されたＦＩＲフィルタをさらに具備し、
該ＦＩＲフィルタは、前記データバーストの送信に先立って前記基準電力信号及び前記ペイロードデータの変調後の符号を濾波するよう構成されていることを特徴とする請求項１５記載の発生装置。
【発明の詳細な説明】
【技術分野】
【０００１】
本発明は通信データバースト（burst）を発生する方法及び装置に関し、より詳細には通信データバースト送信における電力信号起動方法及び装置に関する。
【背景技術】
【０００２】
電磁波及び信号（以下、単に信号という）は多くの異なる目的に使用されている。例えば、電磁信号は、例えばデータを送信する電流又は無線周波数（ＲＦ）波の振幅、周波数又は位相を変調する際に見られるように、電磁波特性を減衰、増幅の一方又は両方を行うことにより、情報を伝達するために処理することができる。別の例として、電力は、回路の電圧又は電流を変調する際に見られるように、電磁信号を減衰、増幅の一方又は両方を行うことにより、制御された方法で波に沿って伝達することができる。さらに、これらの使用法は、例えば電力特性を処理することにより信号を通って情報を伝達される際のように組み合わせてもよい。
【０００３】
電磁信号処理はデジタル技法又はアナログ技法により遂行することができる。デジタル及びアナログの減衰、増幅の一方又は両方も組み合わせることができる。すなわち、波形は、所望の業務を遂行するためにシステム内で種々のタイプのデジタル、アナログの一方又は両方の減衰、増幅の一方又は両方に供される。
【０００４】
信号送信の電力を制御することが重要であることが多い。或る通信システム及びネットワークの場所は、チャンネルに送信可能な平均及びピークの一方又は両方の電力を制約する。例えば、電力制御は、基地局及び移動体局の間の多くの通信において、特に多重アクセス通信プロトコルを使用するシステムにおいて重要である。これには、多くの携帯電話ネットワークに使用されるような時分割多重アクセス（ＴＤＭＡ）システム及び符号分割多重アクセス（ＣＤＭＡ）システムが含まれる。また、汎用パケット無線通信システム（ＧＰＲＳ）規格及びＧＳＭ展開用増強データ速度（ＥＤＧＥ）規格等の移動体データネットワーク規格も含まれる。
【０００５】
加えて、いくつかの通信システムは、フィルタ、及び送信処理中に変調、増幅又は他の処理により生ずる入力信号の不要な効果を補償する訂正表の一方又は両方を使用する。例えば、電力増幅器の周波数応答には或る非線形性が含まれる。いくつかのデジタル通信システムは、増幅前に入力信号を予め歪ませることによりこのような不要な効果を矯正し、増幅器の既知の周波数応答に基づき訂正出力信号を保証する。例えば、予歪み参照表をこの目的に使用してもよい。この参照表は、非線形性を補償し、不要な出力の大きさ又は位相成分に所与の入力値を与えるために使用することができる訂正値を有する。
【特許文献１】米国特許５７４５５２７号明細書
【特許文献２】米国特許６６００３６９号明細書
【特許文献３】米国特許６６５０６９１号明細書
【特許文献４】米国特許６７３５４１９号明細書
【特許文献５】米国特許６８３４１８３号明細書
【特許文献６】米国特許６８５０５７４号明細書
【特許文献７】米国特許６９３７８７４号明細書
【特許文献８】米国特許７０１２９７０号明細書
【特許文献９】米国特許出願公開２００５／１２２１６６号明細書
【特許文献１０】米国特許出願公開２００５／１３０６０９号明細書
【発明の開示】
【発明が解決しようとする課題】
【０００６】
上述のタイプの予歪みシステムが訂正出力を提供することを確実にするために、電力増幅器及び電力送信器の一方又は両方の周波数応答を知ることは重要である。この理由により、予歪みシステムを校正し、実際の出力周波数応答に合致させることが必要であることがある。このような校正は、通信データが送信される前の起動動作の際に実行してもよい。しかし、実際の出力周波数応答は、温度、作動周波数、負荷特性等の変動により経時変化する可能性がある。この結果、通常の通信動作中に増幅器又は送信器の予歪みシステムを定期的に校正する方法及び装置を提供することは有益であろう。
【０００７】
従って、通信信号における電力制御を改善するための方法及び装置に対するニーズがある。また、通信送信用の入力信号に対して訂正表の適当且つ定期的な校正を可能にする方法及び装置に対するニーズがある。
【課題を解決するための手段】
【０００８】
解決策は、通信データバーストを発生する方法により提供される。複数のデータ本体（ペイロードデータ）が送信用に特定される。基準電力信号がペイロードデータに先立って送信用に決定される。この基準電力信号及びペイロードデータはデータバーストを形成するよう組み合わされる。データバーストは送信され、基準電力信号がデータバースト内のペイロードデータに先立って送信される。送信されたデータバーストの基準電力信号部に基づいて帰還信号が与えられ、この帰還信号に基づいて予歪み信号が校正される。
【０００９】
解決策はまた、無線通信デバイス及びネットワーク間のＥＤＧＥチャンネル上の無線周波数送信用の補強されたＥＤＧＥデータバーストを発生する方法により提供される。複数の８ＰＳＫ変調符号を含む複数のペイロードデータが送信用に特定される。基準電力信号はペイロードデータに先立って送信用に決定される。基準電力信号及びペイロードデータは、増強されたＥＤＧＥデータバーストを形成するよう組み合わされる。増強されたＥＤＧＥデータバーストは無線周波数送信として送信され、基準電力信号は増強されたデータバースト内のペイロードデータに先立って送信される。送信された、増強されたＥＤＧＥデータバーストの規準電力信号部に基づいて帰還信号が与えられ、この帰還信号に基づいて予歪み信号が校正される。
【００１０】
解決策はまた、通信データバーストを発生する装置により提供される。この装置は、命令がプログラムされると共に送信される複数のペイロードデータを受信するよう構成された信号処理器（シグナルプロセッサ）を有する。信号処理器はペイロードデータに先立って送信される基準電力信号を決定し、データバーストを形成するよう少なくとも基準電力信号及びペイロードデータを組み合わせる。この装置はまた、信号処理器に接続されていると共にデータバーストを増幅するよう構成された増幅器を有する。この装置は、増幅器に接続されていると共に増幅されたデータバーストを送信するよう構成されたアンテナを有する。基準電力信号は、増幅されたデータバースト内のペイロードデータに先立って送信される。装置はまた増幅器及び信号処理器に接続されている帰還ループを有し、増幅されたデータバーストの基準電力信号部に基づいて帰還信号を与えるよう構成される。この装置は、送信に先立って次のデータバーストを予め歪ませるよう構成された予歪みフィルタを有する。この予歪みフィルタは、帰還信号に基づいて校正するよう構成される。
【発明を実施するための最良の形態】
【００１１】
以下、添付図面を参照して本発明を例示により説明する。図示された校正部品は必ずしも原寸に比例しておらず、代わりに本発明の原理を説明する上で強調されている。さらに、これらの図において、同様の参照符号は全体の図面を通して対応する部品を指す。
【００１２】
本発明の実施形態は、電磁波及び信号を処理する装置及び方法からなる。説明のために、典型的な一実施形態は、基準電力信号を決定するよう構成された信号処理器を具備する。本明細書で説明される信号処理器及び基準電力信号は、例えばベースバンドプロセッサ、位相、周波数又は振幅の変調器、増幅器、送信器等の広い範囲の応用例で実施可能である。説明のため、図１には典型的な送信器が図示される。
【００１３】
本発明の一側面に従った送信器の一例は、図１に図示される。送信器１００は、信号処理器１１０、予歪みフィルタ１２０、増幅器１３０及び帰還ループ１４０を有する。送信器１００はまた、アンテナ１５０を有するよう構成されている。以下に詳細に説明される典型的な送信器１００の種々の部品は、実際にはアナログ部品でもデジタル部品でもよい。典型的な送信器１００はまた、特定用途によっては、アナログ部品及びデジタル部品の組合せを含んでもよく、ベースバンドプロセッサ、変調器等の別の部品を含んでもよい。さらに、種々の送信器部品を特定用途の設計パラメータに従って単一部品に組み合わせてもよい。
【００１４】
本明細書で使用される「信号」の用語は、例えば１個以上のデータストリームを含む、オン・オフに切り替えられる直流電流、交流電流又は電磁キャリアを含むがこれらに限定されない電流又は電磁場等の、一場所から他の場所にデータを伝達する任意の方法をも含むよう広く解釈すべきである。データは例えば、アナログ形式又はデジタル形式で達成できる変調により搬送電流又は搬送波に重ねられてもよい。本明細書で使用される「データ」の用語もまた、例えばオーディオ情報、ビデオ情報、テキスト情報を含むがこれらに限定されない任意のタイプの情報を具備するよう広く解釈すべきである。
【００１５】
図１に図示されているように、信号処理器１１０は例えばデジタル信号プロセッサであってもよい。本実施形態において信号処理器１１０が発生する処理後の出力信号は、入力信号から得られたデータを含むデジタル信号又は電磁波を具備してもよい。信号処理器１１０は、デジタル出力信号を生成するアナログ・デジタルコンバータを有してもよい。
【００１６】
信号処理器１１０は、例えば無線通信デバイス及びネットワーク（図示せず）間で送信されるペイロードデータを受信又は決定するよう構成される。例えば、信号処理器１１０は、命令がプログラムされ、送信用の複数のペイロードデータを受信するデジタル信号プロセッサであってもよい。信号処理器１１０はさらに、ペイロードデータに先立って送信される基準電力信号を決定すると共に、基準電力信号及びペイロードデータを組み合わせてデータバーストを形成するよう構成される。再度例示として、信号処理器１１０は、基準電力信号を決定し基準電力信号をペイロードデータと組み合わせてデータバーストを形成する命令がプログラムされたデジタル信号プロセッサであってもよい。信号処理器１１０はまた、特定用途に依存して、データバースト内に付加データを有してもよい。
【００１７】
図１に図示された送信器において、信号処理器１１０は、オプションである予歪みフィルタ１２０に接続されている。予歪みフィルタ１２０は、増幅及び送信の前に通信信号を予め歪ませることにより、増幅器１３０の又は送信器１００内の別の場所の非線形性を補償する。予歪みフィルタは、増幅器１３０及び送信器１００の一方又は両方の既知の周波数応答に基づく。例えば、予歪みフィルタは、入力信号の所与の大きさ又は位相用に訂正値を与えるために参照表を使用してもよい。
【００１８】
図１は信号処理器１１０から分離した部品として予歪みフィルタ１２０を図示しているが、これらの部品を単一デバイスに組み合わせることも可能である。例えば、信号処理器１１０自体の内部に論理命令及び参照表を使用して予歪みフィルタを実施してもよい。
【００１９】
信号処理器１１０はまた、増幅器１３０に接続されている。増幅器１３０は、用途に依存して必要に応じてデータバーストを受信し増幅する。送信器１００はまた、特定通信ネットワーク用の適当な変調プロトコルに従ってデータバーストを変調するための変調器（図示せず）を有してもよい。任意であるが、増幅器１３０は、無線周波数送信用のアンテナ１５０に増幅した信号を提供してもよい。
【００２０】
図１に示されているように、送信器１００はまた、増幅器１３０からの出力に基づいて信号処理器１１０に帰還を提供するオプションの帰還ループ１４０を有する。帰還ループ１４０からの情報は、例えば増幅器１３０及び送信器１００の一方又は両方の電流周波数応答に従って予歪みフィルタ１２０を校正するために使用してもよい。
【００２１】
信号処理器１１０により決定される基準電力信号は、種々の利点を与えることができる。一つの利点は、データバースト全体（他の任意の所望データと同様に基準電力信号及びペイロードデータの双方が含まれる）が所望の電力判定条件を満たすことを保証するよう、基準電力信号が選択又は計算できることである。例えば、基準電力信号は、送信されたデータバースト内に所望のピーク又は平均の電力値を保証するよう、選択又は計算できる。基準電力信号はまた、データバーストがスイッチング過渡信号用の所望の判定条件を満たすことを保証するよう選択できる。
【００２２】
別の利点は、予歪みフィルタ１２０用に校正信号を提供するよう基準電力信号を選択できることである。例えば、基準電力信号は、データバーストの始動中、零から最大まで全ての可能な出力値に及ぶよう選択できる。これは、帰還ループ１４０及び信号処理器１１０を介して帰還を受信する予歪みフィルタ１２０が、増幅器１３０及び送信器１００の一方又は両方の実際の周波数応答用の完全な訂正表を実施することを可能にする。
【００２３】
データバーストの基準電力信号部が送信される際、帰還ループ１４０は、実際に送信された基準電力信号に基づいて帰還信号を提供する。図１に示される送信器１００において、この帰還信号は信号処理器１１０に受信される。帰還信号は予歪みフィルタ１２０を校正するために使用されてもよい。例えば、信号処理器１１０は、校正において使用するために生の帰還信号を予歪みフィルタに通してもよい。或いは、信号処理器１１０は、帰還信号を処理して適当な校正を決定し、次に校正信号を提供して予歪みフィルタ１２０の校正を制御してもよい。
【００２４】
校正処理は通信データバースト開始時の基準電力信号の送信に基づくので、通常の通信動作中、校正処理を実行することができる。校正は、例えば始動ルーチン中に校正の目的のみのために送られた専用通信に限定する必要はない。むしろ予歪みフィルタ１２０は、送信器１００の通常の通信動作中、正規である定期的に校正されてもよい。必要なら、校正処理は、各データバーストの送信中に実行されてもよい。
【００２５】
さて、図２に目を向けると、通信データバーストを発生する方法を示すフローチャートが図示される。図２に示された方法は、図１に図示された送信器１００等の送信器を使用して実施できる。送信される複数のペイロードデータは２１０で特定される。このペイロードデータは種々の方法で特定可能である。例えば、ペイロードデータは、送信用の発生源から受信されてもよく、又は送信器自体が発生してもよい。ペイロードデータは種々の形態をとることができる。例えば、ペイロードデータは、ガウス分布最小シフトキーイング（ＧＭＳＫ）符号又は８位相シフトキーイング（８ＰＳＫ）符号等の一連の変調符号であってもよい。
【００２６】
基準電力信号はまた２２０で決定される。基準電力信号は、特定変調プロトコル及び通信ネットワークに依存して、所望の校正又は電力の判定条件を満たすよう選択又は計算できる。基準電力信号は、一連のデジタル信号サンプル、又はＧＭＳＫ符号又は８ＰＳＫ符号等の一連の変調符号を含む種々の形態をとることができる。
【００２７】
ペイロードデータ及び基準電力信号は、データバーストを形成するよう２３０で組み合わされる。データバーストはまた、他の所望の信号又は情報を含んでもよい。データバーストは２４０で送信され、基準電力信号はペイロードデータに先立って送信される。送信前に、データバーストは任意の所望の方法で変調されてもよい。例えば、基準電力信号及びペイロードデータが変調符号を有する場合、これらの符号を無線周波数搬送波上で変調してもよい。
【００２８】
帰還信号は、データバーストの送信２４０に基づいて２５０で発生される。帰還信号の一部は、実際に送信された基準電力信号を反映する。帰還信号は、実際に送信された信号（例えば増幅器１３０の出力）に基づくので、基準電力信号が送信された時点での増幅器及び送信器（例えば増幅器１３０及び送信器１００）の一方又は両方の電流周波数応答の任意の非線形性を反映する。帰還信号からのこの情報は、図１に示される予歪みフィルタ１２０により与えられる信号等の予歪み信号を２６０で校正するために使用される。この結果、送信器１００の通常の通信動作中に、正規である定期的に予歪みフィルタ１２０を校正してもよい。上述したように、この校正処理は、必要なら各データバーストの送信中に実行してもよい。
【００２９】
図３に、本発明の別の側面に従ったＥＤＧＥ送信器の一例が図示される。ＥＤＧＥ送信器は、ＥＤＧＥデータ通信規格に基づくネットワークにおいて使用するよう設計されている。ＥＤＧＥ送信器３００は、信号処理器３１０、有限インパルス応答（ＦＩＲ）フィルタ３６０、増幅器３３０及び帰還ループ３４０を有する。ＥＤＧＥ送信器３００もまた、アンテナ３５０を有するよう構成される。図１に図示された送信器１００と同様に、以下に詳細に説明される典型的なＥＤＧＥ送信器３００の種々の部品は、実際にはアナログ部品でもデジタル部品でもよい。ＥＤＧＥ送信器３００はまた、特定用途によっては、アナログ部品及びデジタル部品の組合せを含んでもよく、ベースバンドプロセッサ、変調器等の別の部品を含んでもよい。さらに、種々の送信器部品を特定用途の設計パラメータに従って単一部品に組み合わせてもよい。
【００３０】
図３に図示されているように、信号処理器３１０は例えばデジタル信号プロセッサであってもよい。本実施形態において信号処理器３１０が発生する処理後の出力信号は、入力信号から得られたデータを含むデジタル信号又は電磁波を具備してもよい。信号処理器３１０は、デジタル出力信号を生成するアナログ・デジタルコンバータを有してもよい。
【００３１】
信号処理器３１０は、無線通信デバイス及びネットワーク間で送信されるペイロードデータを受信又は決定するよう構成される。例えば、信号処理器３１０は、命令がプログラムされ、送信用の複数のペイロードデータを受信するデジタル信号プロセッサであってもよい。
【００３２】
図１に図示された信号処理器１１０と同様に、信号処理器３１０はさらに、ペイロードデータに先立って送信される基準電力信号を決定すると共に、基準電力信号及びペイロードデータを組み合わせ増強されたＥＤＧＥデータバーストを形成するよう構成される。再度例示として、信号処理器３１０は、基準電力信号を決定し基準電力信号をペイロードデータと組み合わせ増強されたＥＤＧＥデータバーストを形成する命令がプログラムされたデジタル信号プロセッサであってもよい。信号処理器３１０はまた、特定用途に依存して、増強されたＥＤＧＥデータバースト内に付加データを有してもよい。
【００３３】
信号処理器３１０は、オプションである予歪みフィルタ３２０に接続されている。図１を参照して上述した予歪みフィルタ１２０と同様に、予歪みフィルタ３２０は、ＦＩＲフィルタリング、増幅及び送信の前に通信信号を予め歪ませることにより、増幅器３３０の又は送信器３００内の別の場所（例えばＦＩＲフィルタ３６０）の非線形性を補償する。予歪みフィルタは、増幅器３３０、及び送信器３００の他の部品の一方又は両方の既知の周波数応答に基づく。例えば、予歪みフィルタは、入力信号の所与の大きさ又は位相用に訂正値を与えるために参照表を使用してもよい。
【００３４】
図３は信号処理器３１０から分離した部品として予歪みフィルタ３２０を図示しているが、これらの部品を単一デバイスに組み合わせることも可能である。例えば、信号処理器３１０自体の内部に論理命令及び参照表を使用して予歪みフィルタを実施してもよい。
【００３５】
図３に図示されたＥＤＧＥ送信器において、信号処理器３１０はまた、ＦＩＲフィルタ３６０に接続されている。増強されたＥＤＧＥデータバーストの８ＰＳＫ符号は、ＦＩＲフィルタ３６０を励起して送信用に増強されたＥＤＧＥデータバーストの無線周波数版を生成する。
【００３６】
増幅器３３０は、用途に依存して必要に応じて無線周波数データバーストを受信し増幅する。任意であるが、増幅器３３０は、無線周波数送信用のアンテナ３５０に増幅し増強したＥＤＧＥデータバースト信号を提供してもよい。
【００３７】
図３に示されているように、送信器３００はまた、増幅器３３０からの出力に基づいて信号処理器３１０に帰還を提供するオプションの帰還ループ３４０を有する。図１に図示された送信器１００に関して上述したように、帰還ループ３４０からの情報は、例えばＦＩＲフィルタ３６０、増幅器３３０、及び／又は送信器３００の他の部品の電流周波数応答に従って予歪みフィルタ３２０を校正するために使用してもよい。
【００３８】
上述したように、信号処理器３１０により決定される基準電力信号は、種々の利点を与えることができる。一つの利点は、増強されたＥＤＧＥデータバースト（他の任意の所望データと同様に基準電力信号及びペイロードデータの双方が含まれる）が所望の電力判定条件を満たすことを保証するよう、基準電力信号が選択又は計算できることである。例えば、基準電力信号は、増強されたＥＤＧＥデータバーストがＥＤＧＥ規格の電力及びスイッチング過渡信号の制約条件を満たすことを保証するよう選択又は計算できる。例えば、このような制約条件には、３ＧＰＰ  ＴＳ  １１．１０「デジタル携帯電話通信システム（フェーズ２＋）；移動体状態（ＭＳ）適合性仕様書」及び３ＧＰＰ  １１．１１「デジタル携帯電話通信システム（フェーズ２＋）；加入者識別モジュール−移動体機器（ＳＩＭ−ＭＥ）インタフェースの仕様書」に記載された条件がある。基準電力信号はまた、増強されたＥＤＧＥデータバーストがＥＤＧＥ規格により課せられるスイッチング過渡信号の制限を満足することを保証するよう選択できる。
【００３９】
別の利点は、ＥＤＧＥ送信器３００用に校正信号を提供するよう基準電力信号を選択できることである。例えば、基準電力信号は、増強されたＥＤＧＥデータバーストの始動中、零から最大まで全ての可能な出力値に及ぶよう選択できる。これは、帰還ループ３４０及び信号処理器３１０を介して帰還を受信する予歪みフィルタ３２０が、ＦＩＲフィルタ３６０、増幅器３３０、及び／又は送信器３００の他の部品の実際の周波数応答用の完全な訂正表を実施することを可能にする。
【００４０】
さて、図４に目を向けると、無線通信デバイス及びネットワーク間の無線周波数送信用の増強されたＥＤＧＥデータバーストを発生する方法を示すフローチャートが図示される。図４に示された方法は、図３に図示されたＥＤＧＥ送信器３００等の送信器を使用して実施できる。送信される複数のペイロードデータは４１０で特定される。このペイロードデータは種々の方法で特定可能である。例えば、ペイロードデータは、送信用の発生源から受信されてもよく、又は送信器自体が発生してもよい。ＥＤＧＥ送信器３００の場合、ペイロードデータは代表的には、ＥＤＧＥ規格に従った８ＰＳＫ符号の形態をとるであろう。
【００４１】
基準電力信号はまた４２０で決定される。基準電力信号は、特定変調プロトコル及び通信ネットワークに依存して、所望の校正又は電力の判定条件を満たすよう選択又は計算できる。基準電力信号は、一連のデジタル信号サンプル、又は一連の８ＰＳＫ符号を含む種々の形態をとることができる。基準電力信号が一連のデジタル信号サンプル又は８ＰＳＫ符号であるかどうかに関わらず、ＦＩＲフィルタによりマスクされた後、上述したように所望の判定条件を満たす無線周波数信号を生成するよう選択できる。
【００４２】
ペイロードデータ及び基準電力信号は、増強されたＥＤＧＥデータバーストを形成するよう４３０で組み合わされる。増強されたＥＤＧＥデータバーストはまた、他の所望の信号又は情報を含んでもよい。増強されたＥＤＧＥデータバーストは、増強されたＥＤＧＥデータバーストの無線周波数版を生成するＦＩＲフィルタを使用して４４０で濾波される。例えば、増強されたＥＤＧＥデータバーストの変調符号及びデジタル信号サンプルの一方又は両方は、送信用の増強されたＥＤＧＥデータバーストの無線周波数版を生成するようＦＩＲフィルタを励起するのに使用してもよい。増強されたＥＤＧＥデータバーストは無線周波数の形態で４５０において送信され、基準電力信号はペイロードデータに先立って送信される。
【００４３】
帰還信号は、増強されたＥＤＧＥデータバーストの送信４５０に基づいて４６０で発生される。上述した帰還信号と同様に、帰還信号の一部は、実際に送信された基準電力信号を反映する。帰還信号は、実際に送信された信号（例えば増幅器３３０の出力）に基づくので、基準電力信号が送信された時点での増幅器及び送信器部品（例えばＦＩＲフィルタ３６０、増幅器３３０、送信器３００）の一方又は両方の電流周波数応答の任意の非線形性を反映する。帰還信号からのこの情報は、図３に示される予歪みフィルタ３２０により与えられる信号等の予歪み信号を４７０で校正するために使用される。この結果、ＥＤＧＥ送信器３００の通常の通信動作中に、正規である定期的に予歪みフィルタ３２０を校正してもよい。上述した校正処理のように、この校正処理は、必要なら各データバーストの送信中に実行してもよい。
【００４４】
図５は、本発明の別の側面に従った増強されたＥＤＧＥデータバーストを示すタイミングチャートである。図５において、ＥＤＧＥ規格の代表的な８ＰＳＫ符号は、時系列５００に沿ったインパルスとして図示されている。ペイロードデータ符号５２０は、増強されたＥＤＧＥデータバースト５１０の中央に示される。通常の継続時間のＥＤＧＥデータバーストは、１４７個の８ＰＳＫペイロードデータ符号５２０を有するのが代表的である。（便宜上、少数のペイロードデータ符号のみが図５に図示される。）
【００４５】
図５に図示された増強されたＥＤＧＥデータバースト５１０において、基準電力信号信号５３０は、ペイロードデータ信号５２０に先立つ２個の８ＰＳＫ符号として示される。これら２個の符号５３０は、上述したように予歪みフィルタ（例えば予歪みフィルタ３２０）の校正を可能にする、ペイロードデータ符号の前の所望の「オーバシュート」を与える。必要ということではないが、基準電力信号の少なくとも１個の符号は、好適にはシステムにより許容される最大の大きさである。これは、適正な校正の確保を補助する。
【００４６】
基準電力信号の２個の符号５３０は、ＥＤＧＥ規格のスイッチング過渡信号の制約条件と一致して大きさが変化する可能性があるが、図示されているように同じ大きさである。基準電力信号は２個の８ＰＳＫ符号のみを含むように図示されているが、ＥＤＧＥ規格により課せられるデータバースト時間マスクに一致してより多い又はより少ない符号を有してもよい。
【００４７】
一例として、基準電力信号の２個の８ＰＳＫ符号５３０はs1＝a1＋jb1の形態を有する２個の符号であってもよい。係数a1，b1は、所与の用途用の所望の基準電力信号に従った各符号用に選択できる。これらの符号は、そうである必要はないが、ペイロードデータ符号がＥＤＧＥ規格に従って回転するように回転してもよい。さらに、上述した代替手段と同様に、基準電力信号は、ＦＩＲフィルタによりマスクされた後に所望の判定条件を満たす無線周波数信号を生成するよう選択された一連のデジタル信号サンプルを構成してもよい。
【００４８】
図５に図示された増強されたＥＤＧＥデータバースト５１０はまた、２個の減少（ramp-down）符号５４０及び３個の終了符号５５０を有する。必要なら、これらの符号は、ＥＤＧＥ規格の平均電力又はスイッチング過渡信号の制約条件等の要求事項を満足するために、増強されたＥＤＧＥデータバースト内に含まれてもよい。
【００４９】
図６は、本発明の別の側面に従った増強されたＥＤＧＥデータバースト６１０を示すタイミングチャートである。図６に示された増強されたＥＤＧＥデータバースト６１０は、大きさが徐々に増大している３個の８ＰＳＫ符号６３０からなる基準電力信号を有する。再び、これら３個の符号６３０は、上述したように予歪みフィルタ（例えば予歪みフィルタ３２０）の校正を可能にする、ペイロードデータ符号の前の所望の「オーバシュート」を与える。必要ということではないが、基準電力信号の少なくとも１個の符号は、好適には適正な校正の確保を補助する、システムにより許容される最大の大きさである。
【００５０】
基準電力信号の３個の符号６３０はまた、ＥＤＧＥ規格のスイッチング過渡信号の制約条件に一致して大きさが等しいか、減少しつつあるか、又は変化する可能性があるが、図示されているように大きさが徐々に増大している。さらに、基準電力信号は３個の８ＰＳＫ符号を有して示されているが、ＥＤＧＥ規格により課せられるデータバースト時間マスクに一致してより多い又はより少ない符号を有してもよい。
【００５１】
図５に図示された基準電力信号の符号５３０と同様に、基準電力信号の２個の８ＰＳＫ符号５３０はs1＝a1＋jb1の形態を有する２個の符号であってもよい。ここで、係数a1，b1は、所与の用途用の所望の基準電力信号に従った各符号用に選択できる。さらに、これらの符号は、そうである必要はないが、ペイロードデータ符号がＥＤＧＥ規格に従って回転するように回転してもよい。また、上述した代替手段と同様に、基準電力信号は、ＦＩＲフィルタによりマスクされた後に所望の判定条件を満たす無線周波数信号を生成するよう選択された一連のデジタル信号サンプルを構成してもよい。
【００５２】
時系列６００、ペイロードデータバースト符号６２０、減少符号６４０及び終了符号６５０を含む増強されたＥＤＧＥデータバースト６１０の他の側面は、図５を参照して上述したものと同様である。
【００５３】
或る送信器、受信器、トランシーバ、及び信号処理器１１０，３１０等の他の部品は、有線及び無線の他のタイプの種々のデバイス（例えば、ブルートゥース、８０２．１１ａ，−ｂ，−ｇ、レーダ、ＩｘＲＴＴ、ラジオ、ＧＰＲＳ、ＥＤＧＥ、コンピュータ、コンピュータ又は非コンピュータ通信デバイス、又はハンドヘルドデバイス）と同様に、特定の入力信号、搬送波及び出力信号用（例えば、ＣＤＭＡ、ＣＤＭＡ２０００、ＷＣＤＭＡ、ＧＳＭ、ＴＤＭＡ等の種々のタイプの携帯電話）専門であってもよい。これらの環境で使用される変調スキームは、例えばＧＳＭで使用されるＧＭＳＫ、ＤＥＣＴ及びブルートゥースで使用されるＧＦＳＫ、ＥＤＧＥで使用される８ＰＳＫ、ＩＳ−２０００で使用されるＯＱＰＳＫ及びＨＰＳＫ、ＴＤＭＡで使用されるｐ／４  ＤＱＰＳＫ、及び８０２．１１で使用されるＯＦＤＭを含んでもよい。
【図面の簡単な説明】
【００５４】
【図１】本発明の一側面に従った送信器を示すブロック図である。
【図２】本発明の別の側面に従った通信データバーストを発生する方法を示すフローチャートである。
【図３】本発明の一側面に従ったＥＤＧＥネットワークで使用するための送信器を示すブロック図である。
【図４】本発明の別の側面に従った、無線通信データバースト及びネットワーク間のＥＤＧＥチャンネル上の無線周波数送信のための増強されたＥＤＧＥデータバーストを発生する方法を示すフローチャートである。
【図５】本発明の別の側面に従った増強されたＥＤＧＥデータバーストを示すタイミングチャートである。
【図６】本発明の別の側面に従った増強されたＥＤＧＥデータバーストを示すタイミングチャートである。
【符号の説明】
【００５５】
１１０，３１０  信号処理器
１２０，３２０  予歪みフィルタ
１３０，３３０  増幅器
１４０，３４０  帰還ループ
１５０，３５０  アンテナ
３６０          ＦＩＲフィルタ
【図１】
2007259440.tif 000003
【図２】
2007259440.tif 000004
【図３】
2007259440.tif 000005
【図４】
2007259440.tif 000006
【図５】
2007259440.tif 000007
【図６】
2007259440.tif 000008